(57)【特許請求の範囲】
【請求項１】
内部に光透過性の媒体が入れられた容器と、
前記容器の１以上の部位から、前記容器の内部に光を投射する投光手段と、
前記容器の１以上の部位で、前記投光手段によって投射された光を検出する光検出手段と、
前記容器の内部に前記媒体が入れられている状態で、前記投光手段及び前記光検出手段を用いて実測された、前記媒体を透過して成る透過光の光学特性に関する特徴量と、前記媒体の一部を測定対象部位に置き換えた状態で、前記投光手段及び前記光検出手段を用いて実測された、前記媒体および／または前記測定対象部位を透過して成る透過光の光学特性に関する特徴量の比較に基づいて、測定対象部位の光学特性に関する特徴量の空間的分布を計算する演算手段と、
を備えることを特徴とする光ＣＴ装置。
【請求項２】
前記演算手段は、
前記容器の内部を複数個の体積要素に分割された集合体モデルとみなすと共に、前記投光手段及び前記光検出手段を用いた場合における、前記各体積要素の光学特性に関する特徴量の変化が前記光検出手段によって検出される透過光の光学特性に関する特徴量に及ぼす影響度を計算する第１の演算手段と、
前記容器の内部に前記媒体が入れられている状態で、前記投光手段及び前記光検出手段を用いて実測された、前記媒体を透過して成る透過光の光学特性に関する特徴量と、前記媒体の一部を測定対象部位に置き換えた状態で、前記投光手段及び前記光検出手段を用いて実測された、前記媒体および／または前記測定対象部位を透過して成る透過光の光学特性に関する特徴量とを比較した量を計算する第２の演算手段と、
前記第１の演算手段により求められた影響度と、前記第２の演算手段により求められた光学特性に関する特徴量を比較した量から、前記各体積要素の光学特性に関する特徴量を演算することにより、測定対象部位の光学特性に関する特徴量の空間的分布を計算する第３の演算手段と、
を備えることを特徴とする請求項１に記載の光ＣＴ装置。
【請求項３】
前記透過光の光学特性に関する特徴量は、透過光の光強度である、
ことを特徴とする請求項１または２に記載の光ＣＴ装置。
【請求項４】
前記測定対象部位の光学特性に関する特徴量は、測定対象部位の吸収係数である、
ことを特徴とする請求項１〜３のいずれか１項に記載の光ＣＴ装置。
【請求項５】
前記媒体は、光学特性が前記測定対象部位の光学特性の平均値とほぼ等しい、
ことを特徴とする請求項１〜４のいずれか１項に記載の光ＣＴ装置。
【請求項６】
前記媒体は、吸収係数が前記測定対象部位の吸収係数の平均値とほぼ等しい、
ことを特徴とする請求項１〜５のいずれか１項に記載の光ＣＴ装置。
【請求項７】
前記媒体は、散乱係数が前記測定対象部位の散乱係数の平均値とほぼ等しい、
ことを特徴とする請求項１〜６のいずれか１項に記載の光ＣＴ装置。
【請求項８】
前記媒体は、屈折率が前記測定対象部位の屈折率の平均値とほぼ等しい、
ことを特徴とする請求項１〜７のいずれか１項に記載の光ＣＴ装置。
【請求項９】
前記媒体は、旋光度が前記測定対象部位の旋光度の平均値とほぼ等しい、
ことを特徴とする請求項１〜８のいずれか１項に記載の光ＣＴ装置。
【請求項１０】
前記媒体は、偏光度が前記測定対象部位の偏光度の平均値とほぼ等しい、
ことを特徴とする請求項１〜９のいずれか１項に記載の光ＣＴ装置。
【請求項１１】
前記容器の開口部に、外部からの光を遮光する遮光手段をさらに有する、
ことを特徴とする請求項１〜１０のいずれか１項に記載の光ＣＴ装置。
【請求項１２】
前記容器の内部を減圧する減圧手段をさらに有する、
ことを特徴とする請求項１〜１１のいずれか１項に記載の光ＣＴ装置。
【請求項１３】
光透過性の媒体が内部に入れられた容器の１以上の部位から、投光手段を用いて前記容器の内部に光を投射し、
前記投光手段によって投射された光を、前記容器の１以上の部位で、光検出手段を用いて検出し、
前記媒体を透過して成る透過光の光学特性に関する特徴量を得る第１の計測工程と、
前記容器の内部に入れられた前記媒体の一部を測定対象部位に置き換えた状態で、
前記容器の１以上の部位から、投光手段を用いて前記容器の内部に光を投射し、
前記投光手段によって投射された光を、前記容器の１以上の部位で、光検出手段を用いて検出し、
前記媒体および／または前記測定対象部位を透過して成る透過光の光学特性に関する特徴量を得る第２の計測工程と、
前記第１の計測工程で得た透過光の光学特性に関する特徴量と、前記第２の計測工程で得た光学特性に関する特徴量の比較に基づいて、前記測定対象部位の光学特性に関する特徴量の空間的分布を計算する演算工程と、
を備えたことを特徴とする画像再構成方法。
【請求項１４】
前記演算工程は、
前記容器の内部を複数個の体積要素に分割された集合体モデルとみなすと共に、前記投光手段及び前記光検出手段を用いた場合における、前記各体積要素の光学特性に関する特徴量の変化が前記光検出手段によって検出される透過光の光学特性に関する特徴量に及ぼす影響度を計算する第１の演算工程と、
前記容器の内部に前記媒体が入れられている状態で、前記投光手段及び前記光検出手段を用いて実測された、前記媒体を透過して成る透過光の光学特性に関する特徴量と、前記媒体の一部を測定対象部位に置き換えた状態で、前記投光手段及び前記光検出手段を用いて実測された、前記媒体および／または前記測定対象部位を透過して成る透過光の光学特性に関する特徴量とを比較した量を計算する第２の演算工程と、
前記第１の演算工程により求められた影響度と、前記第２の演算工程により求められた光学特性に関する特徴量とを比較した量から、前記各体積要素の光学特性に関する特徴量を演算することにより、測定対象部位の光学特性に関する特徴量の空間的分布を計算する第３の演算工程と、
を備えたことを特徴とする請求項１３に記載の画像再構成方法。
【請求項１５】
前記透過光の光学特性に関する特徴量は、透過光の光強度である、
ことを特徴とする請求項１３または１４に記載の画像再構成方法。
【請求項１６】
前記測定対象部位の光学特性に関する特徴量は、測定対象部位の吸収係数である、
ことを特徴とする請求項１３〜１５のいずれか１項に記載の画像再構成方法。
【請求項１７】
前記媒体は、光学特性が前記測定対象部位の光学特性の平均値とほぼ等しい、
ことを特徴とする請求項１３〜１６のいずれか１項に記載の画像再構成方法。
【請求項１８】
前記媒体は、吸収係数が前記測定対象部位の吸収係数の平均値とほぼ等しい、
ことを特徴とする請求項１３〜１７のいずれか１項に記載の画像再構成方法。
【請求項１９】
前記媒体は、散乱係数が前記測定対象部位の散乱係数の平均値とほぼ等しい、
ことを特徴とする請求項１３〜１８のいずれか１項に記載の画像再構成方法。
【請求項２０】
前記媒体は、屈折率が前記測定対象部位の屈折率の平均値とほぼ等しい、
ことを特徴とする請求項１３〜１９のいずれか１項に記載の画像再構成方法。
【請求項２１】
前記媒体は、旋光度が前記測定対象部位の旋光度の平均値とほぼ等しい、
ことを特徴とする請求項１３〜２０のいずれか１項に記載の画像再構成方法。
【請求項２２】
前記媒体は、偏光度が前記測定対象部位の偏光度の平均値とほぼ等しい、
ことを特徴とする請求項１３〜２１のいずれか１項に記載の画像再構成方法。
【発明の詳細な説明】
【０００１】
【発明の属する技術分野】
本発明は、生体等の測定対象部位に光を投射し、その透過光の光学特性に関する特徴量から測定対象部位の光学特性に関する特徴量の空間的分布を計算する光ＣＴ装置及び画像再構成方法に関するものである。
【０００２】
【従来の技術】
現在医療用画像診断装置として、Ｘ線ＣＴ、超音波ＣＴ、ＭＲＩなどが用いられている。それらに加えて最近は、近赤外光が生体組織に対して高い透過性を有すること、生体組織中の酸素濃度を計測し得ること、Ｘ線などと比較して安全なことなどの理由で、光ＣＴが注目を集めている。
【０００３】
光ＣＴ装置は主に、測定対象部位の各箇所に光を投射する光投射部、光投射部から投射され、測定対象部位内部を透過して成る透過光強度を計測する光検出部、計測された光強度及び光路から測定対象部位内部の吸収係数分布画像を再構成する演算部とから構成されている。
【０００４】
画像再構成方法としては、例えばR.L.Barbourらによる以下の方法が知られている("Imaging of Multiple Targets in Dence Scattering Media"(H.L.Graber,J.Chang,R.L.Barbour,SPIE Vol.2570,p.219-p.234))。すなわち、測定対象部位表面の複数の箇所から測定対象部位に向かって光を投射し、同じく測定対象部位表面の複数の箇所で検出された透過光強度と、測定対象部位を複数の微小体積要素に分割した場合の各体積要素において計算された光路長から、各体積要素の吸収物質濃度を求める方法である。この際に、測定対象部位と外形が等しく、かつ、内部に吸収のない別ファントムを用いて、検出光量（透過光強度）の基準値を測定することが必要となる。
【０００５】
また、光投射部と測定対象部位との間に、測定対象部位とほぼ同様の屈折率、及び、散乱係数を有する媒体（以下光学的インターフェース材という）を入れ、測定対象部位表面における光の反射、散乱等を防止し、計測精度を上げることが、例えば特開平６−１２９９８４号公報に開示されている。
【０００６】
【発明が解決しようとする課題】
上記画像再構成方法において、各体積要素の吸収物質濃度を求めることが可能となり、求められた濃度を例えば濃淡画像で表示することにより、測定対象部位内部の吸収係数分布画像を再構成することができる。
【０００７】
しかし、上記画像再構成方法及び上記画像再構成方法を用いる光ＣＴ装置には以下のような問題点が有る。
【０００８】
第１に、上記画像再構成方法においては、基準となる検出光量を測定するために、測定対象部位と同一の外形を有し、かつ、内部に吸収のない別ファントムを作成する必要がある。従って、異なる測定対象部位の計測を行う場合は異なる別ファントムを作成しなくてはならないため、測定時間が著しく増加する。また、測定対象部位が生体のように複雑な構造を有する場合は、このような別ファントムの作成は計測精度上困難であり、現実的ではない。
【０００９】
第２に、上記画像再構成方法においては、測定対象部位を複数の微小体積要素に分割した場合の各体積要素において計算された光路長を用いて測定対象部位内部の吸収係数分布画像を再構成するため、外形が異なる測定対象部位の計測を行う場合は、再度測定対象部位を複数の微小体積要素に分割し、各体積要素における光路長を計算し直さなければならない。従って、画像再構成に著しい時間を必要とする。
【００１０】
本発明は、上記問題点を解決し、測定対象部位内部の吸収係数分布画像を精度よくかつ高速に再構成することが可能な光ＣＴ装置及び画像再構成方法を提供することを目的とする。
【００１１】
【課題を解決するための手段】
上記課題を解決するために、本発明の光ＣＴ装置は、内部に光透過性の媒体が入れられた容器と、容器の１以上の部位から、容器の内部に光を投射する投光手段と、容器の１以上の部位で、投光手段によって投射された光を検出する光検出手段と、容器の内部に媒体が入れられている状態で、投光手段及び光検出手段を用いて実測された、媒体を透過して成る透過光の光学特性に関する特徴量と、媒体の一部を測定対象部位に置き換えた状態で、投光手段及び光検出手段を用いて実測された、媒体および／または測定対象部位を透過して成る透過光の光学特性に関する特徴量の比較に基づいて、測定対象部位の光学特性に関する特徴量の空間的分布を計算する演算手段とを備えることを特徴としている。
【００１２】
上記構成のように、一定形状の容器を用い、媒体を満たした状態で計測した透過光の光学特性に関する特徴量と、媒体の一部を測定対象部位に置き換えた状態で計測した透過光の光学特性に関する特徴量との比較に基づいて、測定対象部位の光学特性に関する特徴量の空間的分布を計算することにより、測定対象部位と同形・同質の別ファントムを作成して基準光量を計測する必要が無くなる。
【００１３】
また、本発明の光ＣＴ装置は、演算手段が、容器の内部を複数個の体積要素に分割された集合体モデルとみなすと共に、投光手段及び光検出手段を用いた場合における、各体積要素の光学特性に関する特徴量の変化が光検出手段によって検出される透過光の光学特性に関する特徴量に及ぼす影響度を計算する第１の演算手段と、容器の内部に媒体が入れられている状態で、投光手段及び光検出手段を用いて実測された、媒体を透過して成る透過光の光学特性に関する特徴量と、媒体の一部を測定対象部位に置き換えた状態で、投光手段及び光検出手段を用いて実測された、媒体および／または測定対象部位を透過して成る透過光の光学特性に関する特徴量とを比較した量を計算する第２の演算手段と、第１の演算手段により求められた影響度と、第２の演算手段により求められた光学特性に関する特徴量を比較した量から、各体積要素の光学特性に関する特徴量を演算することにより、測定対象部位の光学特性に関する特徴量の空間的分布を計算する第３の演算手段とを備えることを特徴とすることが好適である。
【００１４】
上記構成のように、一定形状の容器の内部空間を体積要素に分割して各体積要素の影響度を計算しておけば、測定対象部位の形状等が変化しても、影響度の再計算が不要となる。
【００１５】
また、本発明の光ＣＴ装置は、透過光の光学特性に関する特徴量が、透過光の光強度であることを特徴としてもよい。
【００１６】
また、本発明の光ＣＴ装置は、測定対象部位の光学特性に関する特徴量が、測定対象部位の吸収係数であることを特徴としてもよい。
【００１７】
また、本発明の光ＣＴ装置は、媒体の光学特性が測定対象部位の光学特性の平均値とほぼ等しいことを特徴とすることが好適である。
【００１８】
また、、本発明の光ＣＴ装置は、媒体の吸収係数が測定対象部位の吸収係数の平均値とほぼ等しいことを特徴とすることが好適である。
【００１９】
また、本発明の光ＣＴ装置は、媒体の散乱係数が測定対象部位の散乱係数の平均値とほぼ等しいことを特徴とすることが好適である。
【００２０】
また、本発明の光ＣＴ装置は、媒体の屈折率が測定対象部位の屈折率の平均値とほぼ等しいことを特徴とすることが好適である。
【００２１】
また、本発明の光ＣＴ装置は、媒体の旋光度が測定対象部位の旋光度の平均値とほぼ等しいことを特徴とすることが好適である。
【００２２】
また、本発明の光ＣＴ装置は、媒体の偏光度が測定対象部位の偏光度の平均値とほぼ等しいことを特徴とすることが好適である。
【００２３】
吸収係数、散乱係数、屈折率、旋光度、偏光度等の光学特性が測定対象部位のそれら（平均値）とほぼ等しい媒体を用いることで、測定対象部位表面における光の反射、散乱等を防止し、計測精度を上げることができ、さらに、従来のイメージング方法と比較して、イメージングの精度をあげることができる。
【００２４】
また、本発明の光ＣＴ装置は、容器の開口部に、外部からの光を遮光する遮光手段をさらに有することを特徴とすることが好適である。
【００２５】
上記構成とすることで、外部から容器内に侵入する光を遮光し、計測精度を向上させることができる。
【００２６】
また、本発明の光ＣＴ装置は、容器の内部を減圧する減圧手段をさらに有することを特徴とすることが好適である。
【００２７】
上記構成とすることで、乳房などの測定対象部位の体積を広げて測定することが可能となる。
【００２８】
上記課題を解決するために、本発明の画像再構成方法は、光透過性の媒体が内部に入れられた容器の１以上の部位から、投光手段を用いて容器の内部に光を投射し、投光手段によって投射された光を、容器の１以上の部位で、光検出手段を用いて検出し、媒体を透過して成る透過光の光学特性に関する特徴量を得る第１の計測工程と、容器の内部に入れられた媒体の一部を測定対象部位に置き換えた状態で、容器の１以上の部位から、投光手段を用いて容器の内部に光を投射し、投光手段によって投射された光を、容器の１以上の部位で、光検出手段を用いて検出し、媒体および／または測定対象部位を透過して成る透過光の光学特性に関する特徴量を得る第２の計測工程と、第１の計測工程で得た透過光の光学特性に関する特徴量と、第２の計測工程で得た光学特性に関する特徴量の比較に基づいて、測定対象部位の光学特性に関する特徴量の空間的分布を計算する演算工程とを備えたことを特徴としている。
【００２９】
上記構成のように、一定形状の容器を用い、媒体を満たした状態で計測した透過光の光学特性に関する特徴量と、媒体の一部を測定対象部位に置き換えた状態で計測した透過光の光学特性に関する特徴量との比較に基づいて、測定対象部位の光学特性に関する特徴量の空間的分布を計算することにより、測定対象部位と同形・同質の別ファントムを作成して基準光量を計測する必要が無くなる。
【００３０】
また、本発明の画像再構成方法は、演算工程が、容器の内部を複数個の体積要素に分割された集合体モデルとみなすと共に、投光手段及び光検出手段を用いた場合における、各体積要素の光学特性に関する特徴量の変化が光検出手段によって検出される透過光の光学特性に関する特徴量に及ぼす影響度を計算する第１の演算工程と、容器の内部に媒体が入れられている状態で、投光手段及び光検出手段を用いて実測された、媒体を透過して成る透過光の光学特性に関する特徴量と、媒体の一部を測定対象部位に置き換えた状態で、投光手段及び光検出手段を用いて実測された、媒体および／または測定対象部位を透過して成る透過光の光学特性に関する特徴量とを比較した量を計算する第２の演算工程と、第１の演算工程により求められた影響度と、第２の演算工程により求められた光学特性に関する特徴量とを比較した量から、各体積要素の光学特性に関する特徴量を演算することにより、測定対象部位の光学特性に関する特徴量の空間的分布を計算する第３の演算工程とを備えたことを特徴とすることが好適である。
【００３１】
上記構成のように、一定形状の容器の内部空間を体積要素に分割して各体積要素の影響度を計算しておけば、測定対象部位の形状等が変化しても、影響度の再計算が不要となる。
【００３２】
また、本発明の画像再構成方法は、透過光の光学特性に関する特徴量が、透過光の光強度であることを特徴としてもよい。
【００３３】
また、本発明の画像再構成方法は、測定対象部位の光学特性に関する特徴量が、測定対象部位の吸収係数であることを特徴としてもよい。
【００３４】
また、本発明の画像再構成方法は、媒体の光学特性が測定対象部位の光学特性の平均値とほぼ等しいことを特徴とすることが好適である。
【００３５】
また、本発明の画像再構成方法は、媒体の吸収係数が測定対象部位の吸収係数の平均値とほぼ等しいことを特徴とすることが好適である。
【００３６】
また、本発明の画像再構成方法は、媒体の散乱係数が測定対象部位の散乱係数の平均値とほぼ等しいことを特徴とすることが好適である。
【００３７】
また、本発明の画像再構成方法は、媒体の屈折率が測定対象部位の屈折率の平均値とほぼ等しいことを特徴とすることが好適である。
【００３８】
また、本発明の画像再構成方法は、媒体の旋光度が測定対象部位の旋光度の平均値とほぼ等しいことを特徴とすることが好適である。
【００３９】
また、本発明の画像再構成方法は、媒体の偏光度が測定対象部位の偏光度の平均値とほぼ等しいことを特徴とすることが好適である。
【００４０】
吸収係数、散乱係数、屈折率、旋光度、偏光度等の光学特性が測定対象部位のそれら（平均値）とほぼ等しい媒体を用いることで、測定対象部位表面における光の反射、散乱等を防止し、計測精度を上げることができ、さらに、従来のイメージング方法と比較して、イメージングの精度をあげることができる。
【００４１】
【発明の実施の形態】
本発明の実施形態に係る光ＣＴ装置を図面を用いて説明する。まず本発明の実施形態に係る光ＣＴ装置の構成について説明する。図１は、本発明の実施形態に係る光ＣＴ装置のシステム構成図、図２は、本発明の実施形態に係る光ＣＴ装置の使用状態を表す図、図３は、本発明の実施形態に係る光ＣＴ装置の容器周辺の構成図である。光ＣＴ装置１０は、主に、測定対象部位２００を入れる容器１２、容器１２の内部に光を投射する投光部、投光部によって投射された光を検出する光検出部及び、光検出部によって検出された検出光量から測定対象部位２００の吸収係数の空間的分布を計算する演算／制御部１４から構成されている。
【００４２】
容器１２は、測定すべき測定対象部位２００（本実施形態においては、図２に示すように測定対象部位２００として女性の乳房を想定している）を十分に収容できる大きさを有しており、上面に開口部を持った円筒形状となっている。容器１２の側面には、ｎ（ｎは２以上の整数）個の光投射／検出口１６が、容器１２の深さ方向及び周回方向の異なった位置に３次元的に配置されており（図３参照）、ここから容器１２内の様々な深さ、様々な方向へ光を投射することが可能となっているとともに、容器１２内の様々な深さ、様々な方向からの光を検出することが可能となっている。また、容器１２は、遮光性の材料から形成されており、光投射／検出口１６以外から容器１２の内部に光が入射することを防止している。さらに、容器１２の開口部は、遮光板１８で覆うことが可能となっており、開口部から容器１２の内部に光が入射することを防止している。
【００４３】
容器１２の内部には、光学的インターフェース材２０が満たされている。光学的インターフェース材２０は、測定対象部位２００と容器１２との間隙を埋めることによって測定対象部位２００の表面における光学特性の不連続性を減少させる役目を果たす物質である。具体的には、吸収係数、散乱係数、屈折率、旋光度、偏光度等の光学特性のうち１つ以上の特性を、測定対象部位２００の吸収係数の平均値、散乱係数の平均値、屈折率の平均値、旋光度の平均値、偏光度の平均値等とほぼ等しくした媒体を言い、測定対象部位２００が人体の場合は、例えば、屈折率が生体とほぼ等しい水に、散乱係数についてはシリカ、イントラリピッド（脂肪乳剤）等、吸収係数については特定波長で特有の吸収係数を有するインク等、旋光度、偏光度についてはグルコースや果糖等を溶かし、光学特性を測定対象部位２００に合わせたものなどが用いられる。ここで、”ほぼ等しい”とは、計測精度等の観点から同一あるいは同一とみなせることを意味する。
【００４４】
投光部は、光源２２と光スイッチ２４とから構成される。光源２２は、半導体レーザを用いており、投射光を供給できるようになっている。また、光スイッチ２４は、１入力ｎ出力の光スイッチであり、光源用光ファイバ２６を介して入力された光を、個別排他的に上記ｎ個の光投射／検出口１６に導くべく、各光投射／検出口１６に接続された投射用光ファイバ２８のうちいずれか１本を選択し、光源２２と接続できるようになっている。
【００４５】
光検出部は、ｎ個の光検出器３０と、各光検出器の入力部前段に配置されたシャッター３２から構成されている。ｎ個の光検出器３０には、ｎ個の光投射／検出口１６から検出用光ファイバ３４を介して検出光がそれぞれ入力され、各光投射／検出口１６における光強度を個別排他的に検出することができるようになっている。
【００４６】
また、検出器３０の後段には、検出器３０によって検出された光強度をＡ／Ｄ変換して演算／制御部１４に入力するための信号処理回路３６が設けられている。
【００４７】
演算／制御部１４は、容器１０の内部に光学的インターフェース材２０が満たされている状態で、各検出器３０によって実測された光強度信号と、光学的インターフェース材２０の一部を測定対象部位２００に置き換えた状態で、各検出器３０によって実測された光強度信号の比較に基づいて、測定対象部位２００の吸収係数の空間的分布を求める機能を有している。具体的なアルゴリズムについては、後述の画像再構成方法の説明において詳細に述べる。演算／制御部１４はまた、光源２２の発光、光スイッチ２４の動作及びシャッター３２の開閉を制御する機能を有している。
【００４８】
光ＣＴ装置１０はさらに、記録／表示部３８を有しており、検出した光強度信号を一時的に格納することができるとともに、演算／制御部１４によって計算された測定対象部位２００の吸収係数の空間的分布を濃淡表示、色分け表示などにより可視化することが可能となっている。
【００４９】
続いて、本実施形態に係る画像再構成方法の基本原理について説明する。図４は、吸収係数が均一な媒質を光が透過する様子を表した図、図５は、吸収係数が不均一な媒質を光が透過する様子を表した図である。簡単のため、散乱吸収体である媒質を二次元的に広がる正方形と考え、この媒質をＮ（＝２５）個の等しい大きさの正方形の体積要素（二次元であるので、正確には面積要素）に分割する。個々の体積要素内においては吸収係数が一定と考え、斜線部等で示された体積要素は他の体積要素と比較して吸収係数が異なると考える。
【００５０】
図４に示すような吸収係数が均一（吸収係数はμa）な媒体の一点から、媒体内部に光が投射され、一点で出力光を検出する場合に検出光量Ｓは、入射光量Ｉ、各体積要素の影響度Ｗj（ｊ＝１〜Ｎ）、散乱及び反射等によって入射光が媒体の外に出る割合を示す減衰定数Ｄsrを用いて、
【数１】
0003771364.tif 000002
と表される。ここで、各体積要素の影響度とは、ある一点から光を投射し、ある一点で光を検出する場合に、各体積要素の吸収係数の変化に伴う検出光量の変化割合をいい、具体的な算出方法は後述する。
【００５１】
次に、図５に示すように、体積要素毎に異なる吸収係数μaj（ｊ＝１〜Ｎ）を有する媒体の各体積要素の吸収係数を、基準の吸収係数μa、及び、各体積要素の吸収係数のμaからの変化分Δμaj（ｊ＝１〜Ｎ）を用いて
【数２】
0003771364.tif 000003
と表し、減数定数Ｄsrは吸収係数が均一の場合と変わらないとすると、この場合の検出光量Ｏは、
【数３】
0003771364.tif 000004
のように表される。従って、式（３）の両辺の対数をとることで、以下の式が導かれる。
【００５２】
【数４】
0003771364.tif 000005
ここで、式（４）は、吸収係数が均一な媒体の一点から投射され、一点に出力された光の検出光量Ｓ（以下基準光量Ｓという）、吸収係数が均一でない媒体の一点から投射され、一点に出力された光の検出光量Ｏ（以下測定光量Ｏという）、各体積要素内の影響度Ｗj（ｊ＝１〜Ｎ）、及び、各体積要素の吸収係数のμaからの変化分Δμaj（ｊ＝１〜Ｎ）の関数となる。上記変数のうち、基準光量Ｓ及び測定光量Ｏは計測によって得られ、各体積要素の影響度Ｗj（ｊ＝１〜Ｎ）は、計算によって得られる（詳細は後述する）ため、未知数は、各体積要素の吸収係数のμaからの変化分Δμaj（ｊ＝１〜Ｎ）のＮ個のみとなる。従って、異なる光投射点・光検出点の組について式（４）に示す方程式をＮ個連立させることにより、Ｎ個のΔμajを求めることが可能となり、媒体の吸収係数の空間的分布が計算できることになる。
【００５３】
具体的には、第ｉ番目（ｉ＝１〜Ｎ）の光投射点・光検出点の組における基準光量をＳi、検出光量をＯi、各体積要素の影響度Ｗij（ｊ＝１〜Ｎ）とすると、式（４）は式（５）のように表される。
【００５４】
【数５】
0003771364.tif 000006
ここで、全てのｉについて式（５）を並べ、行列の形式で表すと、
【数６】
0003771364.tif 000007
となる。
【００５５】
従って、Ｎ個のΔμaj、すなわち媒体の吸収係数の空間的分布が式（７）のように求めることができる。
【００５６】
【数７】
0003771364.tif 000008
ここで、各体積要素の影響度Ｗij（ｊ＝１〜Ｎ）の求め方について説明する。各体積要素に入射する連続光（光束）の定常光拡散方程式は、
【数８】
0003771364.tif 000009
で表される。また、媒体の内部と外部との境界条件は、
【数９】
0003771364.tif 000010
としている。尚、添字ＢＬは、媒体の内部と外部との境界を表すものとする。また、式（９）は、この境界で光が完全に吸収されてしまう様な条件、例えば、媒体の周囲が真黒に塗られた状態と等価である。
【００５７】
式（８）及び（９）を用いて、各光投射点・光検出点の組、すなわち第ｉ番目（ｉ＝１〜Ｎ）の光投射点・光検出点の組に対して光の透過シミュレーション（以下第１のシミュレーションという）を行うことにより、検出光強度を計算する。但し、第１のシミュレーションでは、媒体は一定の吸収係数μaを有すると仮定し、更に、上記式（８） において完全拡散を想定することとし、容器１０の大きさも１／μs’より大きいとする。第１のシミュレーションによって得られた第ｉ番目（ｉ＝１〜Ｎ）の光投射点・光検出点の組における検出光量をｄi0とする。
【００５８】
続いて、式（８）及び（９）を用いて、第２のシミュレーションを行う。第２のシミュレーションでは、媒体の一つの体積要素が、吸収係数μaと異なる吸収係数μa＋Δμaを有すると仮定し、各光投射点・光検出点の組に対して光の透過シミュレーションを行う。例えばΔμa＝０．０１ｍｍ-1とする。ことにより、検出光強度を計算する。第ｉ番目（ｉ＝１〜Ｎ）の光投射点・光検出点の組に対して、第ｊ番目（ｊ＝１〜Ｎ）の体積要素の吸収係数を変化させた場合の検出光量をｄijとする。
【００５９】
上記第１のシミュレーション及び第２のシミュレーションによって計算された検出光量を用いて各体積要素の影響度Ｗijは、式（１０）の様に表される。
【００６０】
【数１０】
0003771364.tif 000011
従って、式（１０）からＷijが求まり、その結果、式（７）から、吸収係数の空間的分布が計算されることになる。
【００６１】
次に、図３を参照しながら本発明の実施形態に係る画像再構成方法について説明する。本実施形態に係る画像再構成方法は、容器１０の内部が光学的インターフェース材２０で満たされた状態で、基準光量を計測する第１の計測工程と、容器１０の内部に入れられた光学的インターフェース材２０の一部を測定対象部位２００（例えば人間の乳房）に置き換えた状態で、測定光量Ｏを計測する第２の計測工程と、基準光量Ｓと測定光量Ｏの比較に基づいて、測定対象部位２００の吸収係数の空間的分布を演算する演算工程とを含んでいる。
【００６２】
第１の計測工程では、基準光量Ｓを計測する。まず、容器１０の内部空間を体積要素に分割する。分割する体積要素の数は、求めるべき吸収係数に必要な空間的分解能、並びに、演算／制御部１４及び記録／表示部３８の処理能力等を考慮して、任意に決めることができる。すなわち、測定対象部位２００の吸収係数分布を高い分解能で計測したい場合は、分割する体積要素数を多くすればよいし、分解能よりも計測速度及び処理速度を優先させたい場合は分割する体積要素数を少なくすればよい。また、容器１０の内部空間の体積要素への分割は、基準光量Ｓ及び測定光量Ｏの計測後に行うことも可能であるが、分割した体積要素の数だけ未知数が発生し、その結果、分割した体積要素の数と等しい個数の方程式を立てることが望ましいため、あらかじめ分割する体積要素の個数を決定しておくことが好適である。
【００６３】
容器１０の内部空間を体積要素に分割した後、実際の計測を行う。容器１０の内部を既知の吸収係数μaを有する光学的インターフェース材２０で満たし、光投射／検出口１６以外からの光の侵入を防止するために、容器１０の開口部を遮光板１８を用いて遮蔽する。この状態で、光源２２から投射された光は、光スイッチ２４を切り換えることにより各光投射／検出口１６ａ〜１６ｈから個別排他的に容器１０の内部に投射される。光源２２における投射光の発光及び光スイッチ２４の切換は、演算／制御部１４によって制御される。
【００６４】
容器１０の内部に投射された光は、光投射／検出口１６から光検出器３０に導かれ、各光投射／検出口１６ａ〜１６ｈに入射する光量は個別排他的に検出される。このとき、光を投射する位置の光投射／検出口１６に入射する検出光強度が著しく大きい場合には、光検出器３０を保護するため、該当する位置のシャッター３２を閉じることが好ましい。
【００６５】
図３に示すように、８個の光投射／検出口１６ａ〜１６ｈを有する場合は、光投射点・光検出点の組として、８×８＝６４通りの組み合わせが考えられる。ただし、投射口と検出口が同じ位置である組み合わせ（例えば光投射／検出口１６ａから光を投射し、同じく光投射／検出口１６ａで光を検出する組み合わせ）で、入射する検出光強度が著しく大きくなる場合は、上記理由によりシャッター３２が閉じられているので、計測値は得られない。また、投射口と検出口が相互に反対の位置である組み合わせ（例えば光投射／検出口１６ａから光を投射して光投射／検出口１６ｅで光を検出する組み合わせと光投射／検出口１６ｅから光を投射して光投射／検出口１６ａで光を検出する組み合わせ）は、得られるデータが同じものとなるため、どちらか片方を除外する。一般的には、このような光の相反定理が成り立つ場合は、どちらか片方を除外してもよいが、成り立たない場合はそれぞれを別データとして扱う。
【００６６】
上記の光投射点・光検出点の組の中から、分割した体積要素の数と同数個の光投射点・光検出点の組を任意に選択して計測が行われると、ｉ番目の組における検出光量は、信号処理回路３６でＡ／Ｄ変換され、基準光量Ｓiとして演算／制御部１４に入力されるとともに、記憶／表示部３８に格納される。
【００６７】
第２の計測工程では、測定光量Ｏを計測する。計測の方法は、基本的には上記基準光量Ｓの計測と同様であり、基準光量Ｓの計測時に選択された光投射点・光検出点の組について、検出光量を計測する。ただし、測定光量Ｏの計測時には、容器１０の内部に入れられた光学的インターフェース材２０の一部を測定対象部位２００に置き換えて計測を行う。計測が行われると、ｉ番目の組における検出光量は、信号処理回路３６でＡ／Ｄ変換され、測定光量Ｏiとして演算／制御部１４に入力されるとともに、記憶／表示部３８に格納される。
【００６８】
測定対象部位２００である人の乳房は、図２に示すように容器１０の内部に入れられる。この場合は、容器１０の開口部全体を遮蔽板１８で遮蔽することはできないが、必要に応じて、測定対象部位２００と容器１０の開口部の縁部との間を遮蔽板１８で覆うことも可能である。
【００６９】
演算工程は、各体積要素の影響度を演算する第１の演算工程と、基準光量Ｓiと測定光量Ｏiを比較した量を計算する第２の演算工程と、第１の演算工程により求められた各体積要素の影響度と、第２の演算工程により求められた光強度を比較した量から、各体積要素の吸収係数を計算する第３の演算工程とを含んでいる。
【００７０】
第１の演算工程は、ｉ番目の光投射点・光検出点の組における、ｊ番目の体積要素の影響度Ｗijを計算する工程である。Ｗijの具体的な計算方法はすでに示したとおりである。この計算によって、式（１１）に示すようなＮ×Ｎの影響度行列［Ｗ］が求まる。
【００７１】
【数１１】
0003771364.tif 000012
第２の演算工程では、ｉ番目の光投射点・光検出点の組における基準光量Ｓiと測定光量Ｏiを比較した量が計算される。具体的には、この比較した量として、基準光量Ｓiの自然対数値と測定光量Ｏiの自然対数値との差が各光投射点・光検出点の組について計算され、式（１２）に示すようなＮ×１の測定行列［ＳＯ］が求まる。
【００７２】
【数１２】
0003771364.tif 000013
第３の演算工程では、上記第１の演算工程において計算された影響度行列［Ｗ］と上記第２の演算工程において計算された測定行列［ＳＯ］から、式（７）を用いて、各体積要素の吸収係数を計算する。ここで、式（７）から求められる量は、正確に言えば基準吸収係数μaからの変化量であるが、光学的インターフェース材２０の吸収係数μaが既知であるので、容易に吸収係数の絶対値が得られることになる。
【００７３】
上記のように求められた各体積要素の吸収係数は、記録／表示部３８から吸収係数分布画像として出力される。
【００７４】
さらに、本発明の実施形態に係る光ＣＴ装置及び画像再構成方法の効果について説明する。本発明の光ＣＴ装置及び画像再構成方法は、一定形状の容器１０を用い、容器１０に光学的インターフェース材２０を満たした状態で基準光量を計測し、光学的インターフェース材２０の一部を測定対象部位２００に置き換えた状態で測定光量を計測するため、測定対象部位２００と同形で内部に吸収のない別ファントムを作成して基準光量の計測を行う必要が無くなり、計測精度が向上するとともに、異なる測定対象部位２００の計測を行う場合の測定時間を大幅に短縮することができる。さらに、一旦、一定形状の容器１０の内部空間を体積要素に分割して各体積要素の影響度を計算しておけば、別の測定対象部位２００の測定を行う場合等、測定対象部位２００の形状等が変化しても、影響度行列の再計算が不要であり、極めて高速な画像再構成が可能となる。
【００７５】
また、本発明の光ＣＴ装置及び画像再構成方法は、光投射／検出口１６と測定対象部位２００との間隙に光学的インターフェース材２０を挿入していることにより、光漏れの防止、測定対象部位２００への圧迫から生じるうっ血等による内部血液代謝の変化の防止、測定対象部位２００の表面における反射等の防止が実現でき、高精度の計測が可能となる。
【００７６】
さらに、上記のように、測定時間が短縮でき、測定対象部位２００への圧迫から生じる圧痛や跡が残ることを防止できることから、被験者の精神的負担・肉体的負担を軽減することが可能となる。
【００７７】
また、光学的インターフェース材２０を用いることで、光源２２から指向性の強い、高エネルギーの光が発せられたとしても、この光は光学的インターフェース材２０内で散乱し、測定対象部位には、安全かつ多量の光を照射することが可能となる。
【００７８】
上記実施形態においては、式（４）に示す方程式の個数が体積要素の個数と等しい場合について説明したが、方程式の個数が、体積要素の個数より少ない場合、あるいは多い場合であっても、特異値分解法等を用いることにより、特異な問題を非特異な問題に変換できるため、測定対象部位２００の吸収係数の空間的分布を求めることは可能である。
【００７９】
また、上記実施形態において、光源２２には半導体レーザを用いていたが、これは、固体レーザ、色素レーザ、気体レーザを用いてもよい。さらに、ＬＥＤや白色光源からの光を波長選択器によって波長選択した光を用いてもよい。
【００８０】
上記実施形態においては、投射光として連続光を用いた際の解析方法を述べていたが、パルス光を用いる時間分解分光法（ＴＲＳ）で得られる時間分解波形のモーメントを求める解析方法、位相変調光を用いる位相差法（ＰＭＳ）の解析法を利用する場合に関しては、例えば、"performance of an interative reconst-ruction algorithm for near infrared absorption and scatter imaging"(S.R.Arridge,M.Schweiger,M.Hiraoka,D.t.Delpy,SPIE Vol.1888,p.360-p.371)、"Fo-rward and Inverse Calculations for 3-D Frequency-Domain Diffuse Optical Tomography"(Brain W.Pogue,Michael S.Patterson and Tom J.Farrell,SPIE Vol.2389,p.328-p.339)に記載されている方法を用いてもよい。
【００８１】
また、投射光は単一の波長の光だけでなく、２種類以上の波長の光を選択的に使用することも可能である。その場合は、波長可変レーザを使用するか、波長選択器を用いて使用波長を切り換えるか、図６に示すように波長λ１〜λｎの光を投射する光源４０と、各光源４０を選択的に切り換えることにより波長を選択する光スイッチ４２を有する光源１４を用いることができる。
【００８２】
また、上記実施形態の光ＣＴ装置１０においては、光投射口と光検出口を複数個ずつ、かつ、同数個（ｎ個）備えていたが、要求される計測精度を満たせば、光投射口を１つにし、光検出口のみを複数個設けることもできる。同様に、光検出口を１つにし、光投射口のみを複数個設けることも可能である。
【００８３】
さらに、本実施形態は、測定対象部位２００として人間の乳房を考えていたが、他にも頭、手、足、胴体等を計測する場合にも同様に使用できる。
【００８４】
光学的インターフェース材２０に関して言えば、時間経過により固化するような液状、ジェル状の材質のものを使用することもできる。時間経過により固化する材質からなる光学的インターフェース材２０を用いることにより、測定部を固定することができ、計測精度が向上するとともに、楽な姿勢で計測ができるため、被験者の負担を減少させることができる。
【００８５】
また、本実施形態で用いた光学的インターフェース材２０は、その光学的特性、すなわち吸収係数、散乱係数、屈折率、旋光度、偏光度等のうち１つ以上の特性を、測定対象部位２００の吸収係数の平均値、散乱係数の平均値、屈折率の平均値、旋光度の平均値、偏光度の平均値等とほぼ等しく合わせた材質のものを用いていたが、これは測定対象部位２００の吸収係数、散乱係数、屈折率、旋光度、偏光度等がほぼ等しいものでなくても、吸収係数、散乱係数、屈折率、旋光度、偏光度等が既知のもので有れば、既知の値を用いた補正を施すことにより、測定対象部位２００の吸収係数の空間的分布を求めることができる。
【００８６】
また、例えばレーザスキャンのように、測定対象部位２００の３次元形状を測定する方法を併せて用いることで、光学的インターフェース材２０の充填された部分に既知の吸収係数を用いることができ、式（７）を解く際の計算精度が向上する。さらに、光学的インターフェース材２０の入れられた部分を１つの体積要素とみなすことができ、分割すべき体積要素の個数を減らすことができる。
【００８７】
さらに上記実施形態においては測定対象部位２００の吸収係数を測定していたが、測定対象部位２００の散乱係数、屈折率、蛍光特性等の測定にも応用することが可能である。
【００８８】
また、上記実施形態においては、透過光の光強度を用いて測定対象部位２００の吸収係数を測定していたが、これは、透過光の位相、時間分解波形を用いた測定にも応用することが可能である。
【００８９】
続いて、本実施形態に係る光ＣＴ装置において用いる容器の変形例について説明する。図７に容器の第１の変形例を示す。この容器５０は、内部を減圧することができる容器である。容器５０は、光学的インターフェース材２０が内部に入れられており、測定対象部位２００を入れることができるような開口部を有している。容器５０の底部には光学的インターフェース材２０を外部に吸引する吸引口５０ａが設けられており、配管を介してバルブ５２、ポンプ５４及び液貯め漕５６が設けられている。また、容器５０には、容器５０の内部の光学的インターフェース材２０の圧力を計測するための圧力計５８が設けられている。
【００９０】
容器５０を使用する場合は、容器５０内に光学的インターフェース材２０を入れ、さらに測定対象部位２００を入れた状態で、バルブ５２を開け、ポンプ５４を用いて容器５０の内部の光学的インターフェース材２０を液貯め漕５６の方向に吸引する。この際、測定対象部位２００に害を及ぼすような過剰な圧力がかからないように、容器５０の内部の圧力を圧力計５８で監視することができる。測定対象部位２００の計測が終了したら、液貯め漕５６から容器５０の方向に光学的インターフェース材２０を戻すこともできるようになっている。
【００９１】
上記構成の容器５０を用いることで、乳房を測定対象部位２００とした乳ガンの検査の場合においては、乳房が小さい場合、減圧することによって、測定体積を増やして広範囲に計測できる。また、容器５０を腋窩をも挿入できる形状とした場合は、容器５０の内部を減圧することによって、肋骨と肉とを引き離すことができ、ガンが発生しやすいリンパ節付近なども精度よく計測することが可能となる。
【００９２】
図８に容器の第２の変形例を示す。図８に示す容器６０には、容器６０の内部に入れられた光学的インターフェース材２０を攪拌するためのプロペラ６２と、このプロペラを駆動するモータ６４が備えられている。
【００９３】
プロペラ６２を用いて光学的インターフェース材２０を攪拌することにより、容器６０の内部の光学的インターフェース材２０の状態を均一にし、計測誤差を減少させることが可能となる。このほかに光学的インターフェース材２０を攪拌する方法としては、容器６０の内壁に微小な孔を設け、この孔から容器６０の内部に気流または水流を吹き出させることなども考えられる。
【００９４】
図９に容器の第３の変形例を示す。図９に示す容器６６は、外部からの光を遮光するために、容器の開口部に変形可能な遮光部材を有するものである。容器６６の開口部の縁部には、遮光性の材質からなる空気袋６８が設けられている。この空気袋６８は、バルブ７０を介してエアボンベ７２に接続されており、空気袋６８に空気を注入することが可能となっている。空気袋６８への空気の注入量はバルブ７０の後段に設けられた流量計７４で計測可能となっており、また、空気袋６８内の圧力を計測するための圧力計７６も設けられている。
【００９５】
この容器６６においては、エアボンベ７２から注入された空気によって空気袋６８が膨張し、この膨張した空気袋６８が容器６６の開口部と測定対象部位２００との間隙を覆うことにより、計測誤差の原因となる外部から侵入する光を完全に遮断することが可能となる。また、測定対象部位２００の一部が容器６６の開口部の縁部に直接あたることが無くなり、接触部の圧痛、圧迫が軽減される。
【００９６】
図１０に容器の第４の変形例を示す。基本的な構造は、上記第３の変形例である容器６６と同様に、容器の開口部に変形可能な遮光部材を有するものであるが、第３の変形例である容器６６が一つの開口部を有していたのに対して、本変形例の容器７８は、２つの開口部を有する点が異なっている。
【００９７】
２つ以上の開口部を有する容器を用いることにより腕や足、胴体などを容器内に貫通させて挿入することが可能となり、腕や足、胴体の中央部などを測定することが可能となる。
【００９８】
図１１に容器の第５の変形例を示す。本変形例の容器は、例えば腹部の測定のように、入射面と同一の面で、拡散反射光を測定する場合に使用されるものである。容器８０は、一つの底面のみ開口した円柱形状を有し、開口していない方の底面に光投射／検出用の光ファイバ８２が設けられた第１の部分８０ａと、両底面が開口し、測定したい測定対象部位２００内部の深さと等しい高さを持った円柱形状を有した第２の部分８０ｂと、遮光性板８０ｃから構成される。
【００９９】
この容器８０を用いて、基準光量Ｓを測定するときには、第１の部分８０ａの開口部と第２の部分８０ｂの一方の開口部とを接続し、第１の部分８０ａ及び第２の部分８０ｂの内部に光学的インターフェース材２０を入れ、第２の部分８０ｂの他方の開口部を遮光性板８０ｃで塞いだ状態で計測を行う。
【０１００】
一方、測定光量Ｏの計測時は、図１２に示すように、第１の部分８０ａの内部に光学的インターフェース材２０を入れ、開口部を測定対象部位２００の表面に接触させた状態で計測を行う。
【０１０１】
この容器を用いることにより、一定の形状の容器の内部に入れることのできない測定対象部位２００の内部の吸収係数についても測定することが可能となる。
【０１０２】
図１３に容器の第６の変形例を示す。本変形例の容器は、光学的インターフェース材２０の温度を均一に保持することのできる容器である。容器８４は、保温効果を有する材質で形成されており、内部に入れられた光学的インターフェース材２０を、ポンプ８６を介してヒータ８８及び冷却装置９０に循環させることができる構成となっている。循環路の途中には温度センサ９２が設けられており、この温度センサ９２の出力に基づき、図示しない外部コンピュータなどによって、ヒータ８８及び冷却装置９０が制御される。
【０１０３】
このような容器８４を用いることで、光学的インターフェース材２０の温度を一定に保つことができ、温度変化による計測誤差を削減することができるとともに、被験者に不快感を与えないようにすることができるようになる。
【０１０４】
図１４に容器の第７の変形例を示す。本変形例の容器は、計測後の容器内部に付着した光学的インターフェース材２０を除去可能とした容器である。容器９４にはバルブ９６を介してポンプ９８及び洗浄液タンク１００が接続されており、洗浄液注入口９４ａから容器９４の内部に洗浄液を供給することが可能となっている。また、内部に洗浄水を蓄えた溶液タンク１０２を備え、容器９４内に洗浄水を供給し、容器９４の内部及び測定対象部位２００を洗浄することができるようになっている。さらに、容器９４の側壁にはファン１０４が設けられており、容器９４の内部及び測定対象部位２００を乾燥させることができるようになっている。
【０１０５】
図１５に容器の第８の変形例を示す。本変形例の容器は、例えば前腕部の計測を行う場合に用いられるものである。容器１０６は、遮光性の材質からなり、変形しない円筒状の容器外壁１０６ａと、透明の材質からなり、変形可能な複数の袋１０６ｂから構成される。各袋１０６ｂにはチューブ１０８が接続されており、バルブ１１０を介してポンプ１１２及び光学的インターフェース材２０が蓄えられている液貯漕１１４に接続されている。また、袋１０６ｂ内の圧力を計測するための圧力計１１６も設けられている。
【０１０６】
容器１０６を使用する場合は、前腕部等の測定対象部位２００を容器１０６内に挿入した状態でバルブ１１０を開け、ポンプ１１２を用いて、袋１０６ｂが容器外壁１０６ａと測定対象部位２００との間隙を埋める程度まで、光学的インターフェース材２０を液貯漕１１４から各袋１０６ｂ内に注入する。圧力計１１６によって、光学的インターフェース材２０の注入時には、測定対象部位２００に害を及ぼすような過剰な圧力がかかっているか否かを監視することができ、また、計測時においても光学的インターフェース材２０の内圧が均一に保たれているかどうかを監視することができる。
【０１０７】
上記の容器１０６を用いることにより、光学的インターフェース材２０が容器１０６の外部に漏れることもなく、容器の交換、保管等が容易になる。また、測定対象部位２００に光学的インターフェース材２０が直接接触することが無いため、不快感が無く、また運動時のように激しく状態が変化する場合にも適する。
【０１０８】
また、上記各変形例において、容器の形状は円筒型としていたが、この形状は測定対象部位２００の形状、及び計測、演算の容易性等を考慮して円錐型、お椀型等様々な形状に変更することが可能である。
【０１０９】
【発明の効果】
本発明の光ＣＴ装置及び画像再構成方法は、一定形状の容器を用い、媒体を満たした状態で計測した透過光の光学特性に関する特徴量と、媒体の一部を測定対象部位に置き換えた状態で計測した透過光の光学特性に関する特徴量の比較に基づいて、測定対象部位の光学特性に関する特徴量の空間的分布を計算するため、測定対象部位と同形で内部に吸収のない別ファントムを作成して基準量を計測する必要が無くなり、計測精度が向上するとともに、異なる測定対象部位の計測を行う場合の測定時間を大幅に短縮することができる。さらに、一旦、一定形状の容器の内部空間を体積要素に分割して各体積要素の影響度を計算しておけば、測定対象部位の形状等が変化しても、影響度の再計算が不要であり、極めて高速な画像再構成が可能となる。
【図面の簡単な説明】
【図１】本発明の実施形態に係る光ＣＴ装置のシステム構成図である。
【図２】本発明の実施形態に係る光ＣＴ装置の使用状態を表す図である。
【図３】本発明の実施形態に係る光ＣＴ装置の容器周辺の構成図である。
【図４】吸収係数が均一な媒質を光が透過する様子を表した図である。
【図５】吸収係数が不均一な媒質を光が透過する様子を表した図である。
【図６】波長選択スイッチの構成図である。
【図７】容器の第１の変形例を表す図である。
【図８】容器の第２の変形例を表す図である。
【図９】容器の第３の変形例を表す図である。
【図１０】容器の第４の変形例を表す図である。
【図１１】容器の第５の変形例を表す図である。
【図１２】第５の変形例の容器の使用状態を表す図である。
【図１３】容器の第６の変形例を表す図である。
【図１４】容器の第７の変形例を表す図である。
【図１５】容器の第８の変形例を表す図である。
【符号の説明】
１０…光ＣＴ装置、１２…容器、１４…演算／制御部、１６…光投射／検出口、１８…遮光板、２０…光学的インターフェース材、２２…光源、２４…光スイッチ、２６…光源用光ファイバ、２８…投射用光ファイバ、３０…光検出器、３２…シャッター、３４…検出用光ファイバ、３６…信号処理回路、３８…記録／表示部、４０…光源、４２…光スイッチ、５０…容器、５２…バルブ、５４…ポンプ、５６…液貯漕、５８…圧力計、６０…容器、６２…プロペラ、６４…モータ、６６…容器、６８…空気袋、７０…バルブ、７２…エアボンベ、７４…流量計、７６…圧力計、７８…容器、８０…容器、８２…光ファイバ、８４…容器、８６…ポンプ、８８…ヒータ、９０…冷却装置、９２…温度センサ、９４…容器、９６…バルブ、９８…ポンプ、１００…洗浄液タンク、１０２…溶液タンク、１０４…ファン、１０６…容器、１０８…チューブ、１１０…バルブ、１１２…ポンプ、１１４…液貯漕、２００…測定対象部位
【図１】
0003771364.tif 000014
【図２】
0003771364.tif 000015
【図３】
0003771364.tif 000016
【図４】
0003771364.tif 000017
【図５】
0003771364.tif 000018
【図６】
0003771364.tif 000019
【図７】
0003771364.tif 000020
【図８】
0003771364.tif 000021
【図９】
0003771364.tif 000022
【図１０】
0003771364.tif 000023
【図１１】
0003771364.tif 000024
【図１２】
0003771364.tif 000025
【図１３】
0003771364.tif 000026
【図１４】
0003771364.tif 000027
【図１５】
0003771364.tif 000028